(57)【要約】【課題】  従来迄の方法は地盤にあってはヒ−ビング、盤ぶくれ、側移動、等が生じ、又時間を用し、不経済的であった、堆積物層にあっては除去、貫入不能、等の難しい問題に直面した【解決手段】  地盤挿入手段として、錐形状立方体、錐部プラス筒状立方体を振動、及び衝撃力により、錐形面の斜め下方力による圧密、圧縮にてヒ−ビング、盤ぶくれ、側方移動、等を防止出来る手段とした、又堆積物に対しては挿入のし易い錐形状とし飛散、バウンドを防止できる錐形状手段にて解決し、圧縮効果に良い結果を発揮出来、軟弱地盤及び堆積物、堆積層に複合地盤形成を早期に達成出来た。【選択図】      図１
2006022625.tif 000002
【特許請求の範囲】
【請求項１】
地盤又は堆積物層の圧密、圧縮するに当たり地盤又は堆積物層に挿入する錐形立方体の錐形部は円錐、多角錐形とし、錐形の直径又は対角長は３０ｃｍから２．０ｍとし、錐長は直径又は対角長の１．０倍から４倍の範囲とする構造で錐部の先端は閉形及び開く構造とし開く場合は一部又は錐部全体が複数弁方式にて貫入時は閉じ錐状立方体を引き揚げる場合は開く様な開閉自由なヒンジ構造装置。
【請求項２】
地盤又は堆積物層が深い場合は円錐部、多角錐部に円柱筒状体及び多角柱筒状体を継ぎ足す事により所定計画深度迄水平圧密及び圧縮を瞬時に行う事の出来る工法である、筒状体は一定の米数とし、溶接つなぎ又はボルト、ナット締めにより深度長の調整を計る構造。
【請求項３】
地盤又は堆積物層に所定の深度迄錐状立方体が貫入した後、錐状立方体の外管上部に取り付けたホッパから現地の土、砂、又は固化材混合土砂、及び現地の堆積物を投入し、水平圧密、水平圧縮を行い、投入物の柱状体を形成することにて複合地盤の形成をする工法。
【請求項４】
錐形部上部の筒状体からホッパ−下部迄の円柱、多角柱筒状体の外管、外側周辺に、複数本の内径１ｃｍから５ｃｍのパイプを取り付け注入システムと連結し、土、砂、堆積物の投入物の柱状体、強度増加目的のため固化材ミルクを注入出来る装置を備えた構造、尚地盤が固く挿入し難い場合は、注入パイプ上部のバルブ操作によりエア−、ジェット水の噴出により貫入し易くしたシステム構造を備えた装置。
【請求項５】
複合地盤の計画強度により固化材の配合及び施工間隔を決定することにて軟弱地盤及び堆積物層を置換等することなく目的に応じた複合地盤の形成を短期間に施工出来る工法特許。
【請求項６】
円錐、多角錐プラス円柱、多角柱筒状体の貫入方式は振動方式及び衝撃方式とし円錐部、多角錐部、外側には幅３ｃｍから５ｃｍのリブを取り付け振動、衝撃、を伝播し易くした構造で其の長さは錐部長とし、外管内径内とする。
【請求項７】
錐形部の先端は閉じた場合と開いた場合の２種類とし、開く場合は錐部の径により内側、外側、ヒンジ取り付けとし先端から貫入時土砂、堆積物が入らない様に合わせ状弁とする。
【請求項８】
錐形部、柱筒状体を外管無しで打ち込む場合は柱筒状体を深く挿入する時は上部にホッパ−を取り付け、浅い場合は、ホッパ−は取り外しの出来る構造で、ホッパ−を取り付けた場合はホッパ−下部にエア−弁を備えた構造としてエア−にて投入物を抑える構造装置
【請求項９】
錐形部先端が開く場合は、合わせ弁構造とし偶数枚長短が同じ長さの場合と奇数枚の場合は、長さが異なる構造とし貫入時出来るだけ土、砂堆積物の侵入を防げる構造装置。
【請求項１０】
錐形部先端の開閉は開閉弁取り付け位置のヒンジ部から重心位置が中心側になるように内側に重みを付ける構造、又はワイヤ−操作、油圧操作のできる構造及び装置。
【請求項１１】
錐形部上部の円柱筒状体及び多角柱筒状体の外側に外管を一緒に重ね打ちして所定深度迄打ち込み、その後地中に外管を残し、錐形部、円柱筒状体、多角筒状体を引き抜き、外管に取り付けたホッパ−から、土、砂混和材混じり土砂、堆積物を投入し、引き抜いた錐形部、円柱筒状体及び多角柱筒状体を投入物上部より挿入しつつ、ホッパ−付外管を引き抜き圧密、圧縮する方法とその構造装置
【請求項１２】
ホッパ−付外管は、錐形部円柱筒状体又は多角錐部筒状体を打ち込み時は外管を押し込む事の出来る様に蓋状構造として、引き抜くときは外管に取り付けたピン構造フックレバ−構造にて、締め付け一体化して、ホッパ−付外管も同時引き抜くことの出来る構造装置
【請求項１３】
外管無しで、錐形部円柱筒状体又は多角す錐形部筒状体のみで打ち込む場合は筒状体外周に複数の細いパイプヲ取り付け注入、ジェット打ちの出来る構造として尚リブ取り付け大きさは３ｃｍから５０ｃｍとし、長さは１ｍから５ｍとする。
【発明の詳細な説明】
【技術分野】
【０００１】  本発明は間隙、空隙の大きい地盤及び堆積物に貫入し易い形状の錐形立方体を計画目的深度迄貫入し、地盤及び堆積物の間隙又は空隙を圧密及び圧縮して計画目標強度を確保して複合地盤の形成を計る地盤改良及び堆積物圧縮分野である。
【背景技術】
【０００２】  対象地盤の層厚が浅い場合は動圧密工法、タンパ−工法等があり、対象層厚が深い場合はコンパクションパイル工法、バイブロコンポウザ−工法、等がある、
【発明の開示】
【発明が解決しようとする課題】
【０００３】  背景技術で述べた工法の対象地盤層厚が浅い場合、動圧密工法は地下水位の高い場合はヒ−ビング、盤ふくれ、大きい揺れ等がある、タンパ−工法の場合は砂質形の場合の効果があるが、粘性系地盤には不適当であり互層の場合で地下水位が高い時は効果が小さい、又対象地盤が深い場合の工法は経済的でない。【０００４】  本発明はこのような諸条件等を加味し、間隙、空隙に応じた、貫入し易い錐形立方体と錐形部プラス筒状立方体を対象地盤又は堆積物層に挿入し、引き抜き時錐形部及び錐形部プラス筒状立方体に、土砂、混和材混合土砂、又は現地堆積物を投入し抑えつつ引き揚げ即時、間隙、空隙を圧密、圧縮し、ヒ−ビング、盤ぶくれ、飛散防止、を計り、経済的に即時圧密、圧縮を実現しようとするものである。
【課題を解決するための手段】
【０００５】  そして、本発明は上記目的を達成するために貫入し易い錐形立方体、錐形部プラス筒状立方体として、間隙、空隙を強制圧密、圧縮をする手段とした、又その際、盤ぶくれや、ヒ−ビング、飛散等の現象は錐形状のため、圧密、圧縮する際、貫入力の方向が錐面から斜め、下方に働くため、盤ぶくれ、ヒ−ビング、飛散等が無い状態にて即時、圧密、圧縮が出来るように、錐形状立方体を考案し、その挿入方法として、大きい貫入力のある振動機、衝撃機による挿入手段を取り入れた。
【発明の課題】
【０００６】  本発明で課題のあるのは機械設備に最大級の機械を必要とし、機械数が少なく、運搬方法にも運搬経路確認調査を必要とする。
【産業上の利用可能性】
【０００７】  本発明は最近の敷地造成等の拡大に当たり今までは手の付けない状態にあった軟弱地盤又は堆積物層の個所に便利さ、都市構成上やむなく手を付けざるをいない状況となり、如何に経済的に土地提供が出来るかが必要となっている、特に軟弱地盤でもピ−ト層は沈下量も大きく、提供迄の時間が、かかり不経済な工法以外に技術面で安全目標の確保が出来ない状況にあった、これらを、即時圧密することが出来、且経済的であるので今後の利用可能性は大きい、又堆積物等の個所は在来迄の挿入方法は回転式、打ち込み式があるが絡み付き、挿入不能が生じ、また経済的でなかった、本発明は各種地盤、堆積物層に対しの経験実績から考案した工法で在り、各堆積物の満杯化、されつつある処分場等の層厚の深い堆積層を即時圧縮し、堆積物の投入容積拡大にも大きい貢献が出来る工法である。
【図面の簡単な説明】
【０００８】
【図１】本発明の実施形態を示す錐形状立方体及び筒状立方体断面図
【図２】本発明の実施形態を示す錐形状立方体及び筒状立方体断面図
【符号の説明】
【０００９】    １  振動機及び衝撃機
２  ホッパ−
３  筒状立方体
４  錐形部
５  ヒンジ部
６  錐部開閉弁
７  リブ
８  外管
９  錐部閉
１０  注入又はジェットパイプ
１１  リブ
【図１】
2006022625.tif 000003
【図２】
2006022625.tif 000004